(57)【要約】      （修正有）【課題】徘徊中の高齢者(被介護者)を発見した際に、被介護者の人物特定に必要な個人情報を取得し、それに基づき救護や支援をすることができる釦を提供する。【解決手段】釦１の基体２に、名前、住所、電話番号、病歴、薬歴、その他の個人情報を備える識別番号付きの２次元バーコード６を印刷した印刷板３を外側から観取可能に収め、透明蓋体４を被せた。衣類等に簡単に、脱落しないように取り付けることができ、洗濯にも十分耐え、また、衣類等を取り換えた場合にも釦が着いていれば必要な個人情報を取得できる。【選択図】図１
0003222509.tif 000002
【実用新案登録請求の範囲】
【請求項１】
ボタンの基体にＱＲコード（登録商標）印刷板を外側から観取可能に収めたことを特徴とする釦。
【請求項２】
穴のない足つきボタンである請求項１の釦。
【請求項３】
ボタンの基体に収めるＱＲコード（登録商標）印刷板に透明蓋体を被せる請求項１または請求項２記載の釦。
【請求項４】
ＱＲコード（登録商標）印刷板は、ステンレス板へのＱＲコード（登録商標）焼き付けによる請求項１ないし請求項３のいずれかに記載の釦。
【請求項５】
ボタンの基体はジュラルミンもしくはアルマイトによる請求項１ないし請求項４のいずれかに記載の釦。
【請求項６】
透明蓋体はサファイヤガラスによる請求項１ないし請求項５のいずれかに記載の釦。
【請求項７】
ＱＲコード（登録商標）の情報内容は、名前、住所、電話番号、病歴、薬歴その他である請求項１ないし請求項６のいずれかに記載の釦。
【考案の詳細な説明】
【技術分野】
【０００１】
本考案は、徘徊中の高齢者(被介護者)を発見した際に、当該被介護者の人物特定に必要な個人情報を取得し、それに基づき救護や支援をすることができる衣服等の衣類に取付ける釦に関するものである。
【０００２】
なお、本考案において被介護者とは、必ずしも高齢者に限定されるものでは無く、年齢を問うことなくすべての知的障害者（知的障害児）さらには幼児など、保護者による介護を必要とするすべての人を含む。
【背景技術】
【０００３】
近年、平均寿命の高齢化に伴い、認知症などを患う高齢者が増加し、特に認知症高齢者は保護者の手厚い努力もむなしく徘徊をしてしまうという事態が頻発している。
【０００４】
認知症高齢者は、本人の居所地域、既往症、必要な薬の服用条件、その他重要な介護に必要となる条件などに関する個人情報を、徘徊者を発見した人や周囲の人に自ら説明することが困難であるため、その徘徊者は簡単に家族や施設に戻れないという現実があった。
【０００５】
前記の問題に対処するため、認知症高齢者の衣服に、住所、氏名、連絡先などを直接表示しておくことなども行われているが、この場合には、徘徊時に速やかに発見者から家族や介護支援者(保護者)に連絡を伝えやすいという効果はあるものの、高齢者本人並びにその家族の個人情報が無防備の状態で多数の人々の目に晒されることとなっていた。
【０００６】
被介護者はまったく初対面の人に発見された場合で、被介護者が自身の身元に関する情報を開示できない、もしくはしない場合には、被介護者の生命身体の安全の確保が困難であり、一方被保護者の居住地域や氏名などを読み取れるように個人情報を目立つように表示することははばかられ、また、特に認知症高齢者は疾病の特性上、普段と異なる環境にあることや身元に関する初対面の発見者による質問等で受ける心理的・精神的ストレスによって、著しく症状を悪化させることがあるという問題点があった。
【０００７】
下記特許文献はこのような問題に対処するものとして提案されたもので、インターネット上の伝言板サイトを利用する被介護者の救護支援システムにおいて、本システムのシステム管理者と、被介護者を介護する立場の家族・介護者（保護者）である本システムのシステム利用者と、対象となる被介護者を発見した発見者間で情報交換を行う被介護者の救護支援システムであって、システム管理者が使用する管理コンピュータは、必要な基本情報を入力するための基本情報入力手段と、この基本情報を個別ＱＲコード（登録商標）とリンクさせて識別番号付きのＱＲコードを印刷したシールを発行する識別番号付きＱＲコードのシール発行手段と、発見者により被介護者の個別ＱＲコードが撮影された際に、発見者コンピュータに伝言板サイトのトップ画面を自動通信するトップ画面開示手段と、発見者により被介護者の個別識別番号と現在状況の入力がなされた際に、システム利用者に発見者からの入力情報をメールで自動発信する発見メール自動発信手段と発見メール自動発信手段でシステム利用者にメールが送信された際に、発見者に対処方法を連絡するための対処方法連絡手段とを、含み構成されることを特徴とする被介護者の救護支援システムである。
【特許文献１】特開２０１７−７６２３８号公報
【０００８】
この特許文献１で利用されるＱＲコードは、シールに印刷してなるものであり、被介護者の衣服にアイロンなどによる熱圧着などの適宜手段により、脱落しないように取り付けられるとされる。
【０００９】
かかるＱＲコードシールは、数十回から数百回程度の洗濯にも耐えるような素材で印刷され、また取り付け状態も同様の安定性が確保される。
【考案の概要】
【考案が解決しようとする課題】
【００１０】
しかし、シールに印刷してなるＱＲコードは熱圧着などの適宜手段により衣服に脱落しないように取り付けることは非常に手間がかかり、現実には困難である。
【００１１】
さらに、シールのような薄いものを衣服のような柔らかいものに取付けた場合にＱＲコードにゆがみが生じ、正確に読み取れないおそれもある。
【００１２】
また、数十回から数百回程度の洗濯にも耐えるような素材で印刷され、また取り付け状態も同様の安定性が確保されるとあるが、その具体例は全く示されていない。
【００１３】
本考案の目的は前記従来例の不都合を解消し、徘徊中の高齢者(被介護者)を発見した際に、当該被介護者の人物特定に必要な個人情報を取得し、それに基づき救護や支援をすることができるシールに印刷してなるＱＲコードは、熱圧着などの適宜手段により衣服等に脱落しないように取り付けるのではなく、釦にＱＲコードを設けることで、衣類等に簡単にＱＲコードを付設でき、しかも脱落しないように取り付けることができるとともに洗濯にも十分耐えられ、また、衣類等を取り換えた場合にもＱＲコードを設けた釦が着いていれば必要な個人情報を取得できる釦を提供することにある。
【課題を解決するための手段】
【００１４】
前記目的を達成するため本考案は、第１に、ボタンの基体にＱＲコード（登録商標）印刷板を外側から観取可能に収めたこと、第２に、穴のない足つきボタンであること、第３に、ボタンの基体に収めるＱＲコード（登録商標）印刷板に透明蓋体を被せること、第４に、ＱＲコード（登録商標）印刷板は、ステンレス板へのＱＲコード（登録商標）焼き付けによること、第５に、ボタンの基体はジュラルミンもしくはアルマイトによること、第６に、透明蓋体はサファイヤガラスによること、第７に、ＱＲコード（登録商標）の情報内容は、名前、住所、電話番号、病歴、薬歴その他であることを要旨とするものである。
【００１５】
請求項１記載の本考案によれば、ボタンの基体にＱＲコード（登録商標）印刷板を外側から観取可能に収めるので、その釦によりＱＲコード（登録商標）の読み取りを簡単に行うことができる。また、釦はシールを貼り付けた場合と異なり、自由に動くのでＱＲコード（登録商標）の読み取りも無理なく行うことができる。
【００１６】
また、ＱＲコード（登録商標）のシール等の貼り付けではなく、板なので、ＱＲコード（登録商標）はゆがみがなく、平坦なものとして確実に読みとれる。
【００１７】
請求項２記載の本考案によれば、穴あき釦ではＱＲコード（登録商標）印刷板により穴が塞がるので、釦を着けた後でなければＱＲコード（登録商標）印刷板を設置できないが、足により穴がない釦でも糸を通して取付けることができるので、ボタンの基体にＱＲコード（登録商標）印刷板を外側から観取可能に収めた釦でも取付に支障はない。
【００１８】
請求項３記載の本考案によれば、ボタンの基体に収めるＱＲコード（登録商標）印刷板に透明蓋体を被せることで、ＱＲコード（登録商標）の保護ができ、変色や脱落等を防ぐことができる。
【００１９】
請求項４記載の本考案によれば、ＱＲコード（登録商標）印刷板は、ステンレス板へのＱＲコード（登録商標）焼き付けによるので、耐久性の高いものである。
【００２０】
請求項５記載の本考案によれば、ボタンの基体はジュラルミンもしくはアルマイトによるのでやはり、変色や変形し難く、耐久性の高いものである。
【００２１】
請求項６記載の本考案によれば、透明蓋体はサファイヤガラスによるので傷が付き難く、透明蓋体に傷や汚れが付着してＱＲコード（登録商標）が読取り難くなるおそれもない。
【００２２】
請求項７記載の本考案によれば、ＱＲコード（登録商標）の情報内容は、名前、住所、電話番号、病歴、薬歴その他であるので、被介護者はまったく初対面の人に発見された場合でも、速やかに発見者と保護者(システム利用者)との連絡を取り合うことが可能となり、被介護者は発見されたのちに速やかに適切な処置を受けることができるため、徘徊者などの生命・身体の安全の確保が図られ、被介護者はみずからは何もせずに安全かつ確実に保護者(システム利用者)の元に戻される。
【００２３】
さらに、被介護者はまったく初対面の人に発見された場合で、被介護者が自身の身元に関する情報を開示できない、もしくはしない場合であっても、速やかに発見者と保護者(システム利用者)との連絡を取り合うことが可能となり、被介護者は発見されたのちに速やかに適切な処置を受けることができるため、徘徊者などの生命・身体の安全の確保が図られ、被介護者はみずからは何もせずに安全かつ確実に保護者(システム利用者)の元に戻され、被介護者の個人情報を相当程度伏せたままにすることが可能となる。
【００２４】
また、特に認知症高齢者は疾病の特性上、普段と異なる環境にあることや身元に関する初対面の発見者による質問等で受ける心理的・精神的ストレスによって、著しく症状を悪化させることがあるが、発見後に少しでもストレスを少なく、できるだけ早く普段の環境に戻してあげることができ、被介護者の個人情報を伏せておきたいという要望に応えることができ、特に認知症高齢者は疾病の特性上、普段と異なる環境にあることや身元に関する初対面の発見者による質問等で受ける心理的・精神的ストレスによって、著しく症状を悪化させることがある為、発見後に少しでもストレスを少なく、出来るだけ早く普段の環境に戻してあげることができる。
【考案の効果】
【００２５】
以上述べたように本考案の釦は、徘徊中の高齢者(被介護者)を発見した際に、当該被介護者の人物特定に必要な個人情報を取得し、それに基づき救護や支援をすることができるのに、シールに印刷してなるＱＲコードは熱圧着などの適宜手段により衣服等に脱落しないように取り付けるのではなく、釦にＱＲコードを設けることで、衣類等に簡単にＱＲコードを付設でき、しかも脱落しないように取り付けることができるとともに洗濯にも十分耐えられ、また、衣類等を取り換えた場合にもＱＲコードを設けた釦が着いていれば必要な個人情報を取得できるものである。
【図面の簡単な説明】
【００２６】
【図１】本考案の釦の１実施形態を示す正面図である。
【図２】本考案の釦の１実施形態を示す平面図である。
【図３】本考案の釦の１実施形態を示す側面図である。
【図４】本考案の釦の１実施形態を示す斜視図である。
【図５】本考案の釦の１実施形態を示す裏面側からの斜視図である。
【考案を実施するための形態】
【００２７】
以下図面について本考案の実施の形態を詳細に説明する。図１は本考案の釦の１実施形態を示す正面図、図２は同上平面図、図３は同上側面図、図４は同上斜視図、図５は同上裏面側からの斜視図である。
【００２８】
図中１は衣服等に着ける釦であり、釦１の基体２にＱＲコード（登録商標）印刷板３を外側から観取可能に収めた。
【００２９】
基体２はＱＲコード（登録商標）印刷板３を収納もしくは貼付けられるものであれば合成樹脂、金属、木材等を問わないが、本実施形態では耐久性や見栄え等を考慮してジュラルミンもしくはアルマイトによるものとした。
【００３０】
基体２の形状も特に限定はないが、本実施形態では中央部が２段の円形凹所となる円盤タイプのものとし、円盤の側部面には溝２ａを形成した。
【００３１】
基体２の裏側も平面でよいが、糸を通す穴５ａがある足５（いわゆる糸通し）をこの裏側中央に突設した。足５は基体２と同じ材料であるジュラルミンもしくはアルマイトで形成してもよいが、合成樹脂その他別材料で形成したものでもよく、その場合は接着等の手段で基体２の裏面に結合する。
【００３２】
前記ＱＲコード（登録商標）印刷板３は、ステンレス板へのＱＲコード（登録商標）６の焼き付けによる。なお、このＱＲコード（登録商標）印刷板３の素材も他の金属板や構成樹脂、ガラス等の使用も選択でき、印刷方法も焼き付け以外のもの、もしくはシールの貼り付けによるものでもよい。
【００３３】
さらに、ボタン１の基体２に収めるＱＲコード（登録商標）印刷板３にはサファイヤガラスによる透明蓋体４を被せた。この透明蓋体4人も基体２の凹所に収まる。
【００３４】
透明蓋体４にはサファイヤガラス以外のものを使用することも可能で、ポリメチルメトクリレート樹脂などの透明合成樹脂板でもよい。
【００３５】
前記ＱＲコード（登録商標）６の情報内容は、名前、住所、電話番号、病歴、薬歴その他である。
【００３６】
ＱＲコード（登録商標）印刷板３を基体２に収めたのち、透明蓋体４で蓋をする。透明蓋体４は基体２と周縁部が接着し、密着状態となる。
【００３７】
次に使用法について説明する。本考案の釦は通常の釦と同じく、衣服等に糸で取り付けるものである。大きさや形は種々選択でき、衣服等の用途による。
【００３８】
また、取付については穴あき釦ではなく足付き釦として、足５の穴５ａに糸を通して結着する。
【００３９】
ボタンの基体にＱＲコード（登録商標）印刷板を外側から観取可能に収めるので、ＱＲコード（登録商標）の読み取り機で、その釦によりＱＲコード（登録商標）の読み取りを簡単に行うことができる。
【００４０】
衣服等のすべての釦を本考案の釦にする必要はないが、少なくとも1個が着いていればよい。
【００４１】
洗濯等でも取り外す必要はなく、また、衣服等を取り換えた場合にも各衣服等に使用されていれば、着け忘れ等のおそれはない。
【００４２】
認知症高齢者は、本人の居所地域、既往症、必要な薬の服用条件、その他重要な介護に必要となる条件などに関する個人情報を、徘徊者を発見した人や周囲の人に自ら説明することが困難であるが、この本考案の釦付きの衣服等を着用していれば、まったく初対面の人に発見された場合でも、速やかに発見者と保護者(システム利用者)との連絡を取り合うことが可能となり、被介護者は発見されたのちに速やかに適切な処置を受けることができる。
【符号の説明】
【００４３】
１…釦                    ２…基体
２ａ…溝                  ３…ＱＲコード（登録商標）印刷板
４…透明蓋体              ５…足
５ａ…穴                  ６…ＱＲコード（登録商標）
【図１】
0003222509.tif 000003
【図２】
0003222509.tif 000004
【図３】
0003222509.tif 000005
【図４】
0003222509.tif 000006
【図５】
0003222509.tif 000007
【手続補正書】
【提出日】平成31年4月25日(2019.4.25)
【手続補正１】
【補正対象書類名】実用新案登録請求の範囲
【補正対象項目名】全文
【補正方法】変更
【補正の内容】
【実用新案登録請求の範囲】
【請求項１】
ボタンの基体にＱＲコード（登録商標）印刷板を外側から観取可能に収めたことを特徴とする釦。
【請求項２】
穴のない足つきボタンである請求項１の釦。
【請求項３】
ボタンの基体に収めるＱＲコード（登録商標）印刷板に透明蓋体を被せる請求項１または請求項２記載の釦。
【請求項４】
ＱＲコード（登録商標）印刷板は、ステンレス板へのＱＲコード（登録商標）焼き付けによる請求項１ないし請求項３のいずれかに記載の釦。
【請求項５】
ボタンの基体はジュラルミンもしくはアルマイトによる請求項１ないし請求項４のいずれかに記載の釦。
【請求項６】
透明蓋体はサファイヤガラスによる請求項３に記載の釦。
【請求項７】
ＱＲコード（登録商標）の情報内容は、名前、住所、電話番号、病歴、薬歴その他である請求項１ないし請求項６のいずれかに記載の釦。